(57)【要約】  二酸化炭素を人体の一部の皮膚に投与するための二酸化炭素投与装置において、脚部を配置可能な、且つ、略密閉された、空間（２１０）と、空間（２１０）の底部において、二酸化炭素を溶解可能な且つ気化性の、溶媒（８）を、貯留する、溶媒槽（２３）と、溶媒（８）が蒸発するように、溶媒槽（２３）中の溶媒（８）を加熱する、加熱部（２２）と、溶媒槽（２３）の上方の空間（２１０）に、二酸化炭素を供給する、二酸化炭素供給部（２４）と、溶媒槽（２３）中の溶媒（８）から発生した浮遊液滴が付着するように、溶媒槽（２３）の上方の空間（２１０）に配置された、被付着部（２５）と、を備えており、被付着部（２５）より上方の空間（２１０）に、脚部が配置可能となっている。
2015001965.tif 000002
【特許請求の範囲】
【請求項１】
二酸化炭素を人体の一部の皮膚に投与するための二酸化炭素投与装置において、
人体の一部を配置可能な、且つ、略密閉された、空間と、
前記空間において、二酸化炭素を溶解可能な且つ気化性の、溶媒を、貯留する、溶媒槽と、
前記溶媒が蒸発するように、前記溶媒槽中の前記溶媒を加熱する、加熱部と、
前記空間に二酸化炭素を供給する、二酸化炭素供給部と、
前記溶媒槽中の前記溶媒から発生した浮遊液滴が付着するように、前記溶媒槽の上方の前記空間に配置された、被付着部と、
を備えており、
前記被付着部より上方の前記空間に、人体の一部が配置可能となっている、
ことを特徴とする二酸化炭素投与装置。
【請求項２】
前記被付着部が、前記溶媒槽の開口を平面視で覆うように設けられた平板部材である、
請求項１記載の二酸化炭素投与装置。
【請求項３】
更に、前記被付着部材より上方の前記空間内の温度を上昇させるための空間加温部を、備えている、
請求項１又は２に記載の二酸化炭素投与装置。
【請求項４】
更に、前記空間内に配置された人体の一部の皮膚温を上昇させるために人体の一部を直接に加温するための人体加温部を、備えている、
請求項１〜３のいずれか一つに記載の二酸化炭素投与装置。
【請求項５】
前記溶媒が、水である、
請求項１〜４のいずれか一つに記載の二酸化炭素投与装置。
【請求項６】
前記溶媒に酸性物質が溶解されている、
請求項５記載の二酸化炭素投与装置。
【請求項７】
更に、人の腰掛け部を備えており、
前記空間が、腰掛けた人の膝下の脚部を上方から挿入可能なように、設けられている、
請求項１〜６のいずれか一つに記載の二酸化炭素投与装置。
【発明の詳細な説明】
【技術分野】
【０００１】
本発明は、二酸化炭素を人体の一部の皮膚に投与するための二酸化炭素投与装置に、関する。
【背景技術】
【０００２】
二酸化炭素が人体に経皮経粘膜吸収によって取り込まれると、医療及び美容の面で種々の症状が改善される、ということは、既に知られている（特許文献１参照）。そして、そのような効果を示す場合の二酸化炭素の主な作用機序は、血管拡張作用及び組織中酸素分圧増加作用である（非特許文献１参照）。したがって、二酸化炭素の効果は、血管拡張作用を反映する、皮膚の発赤の、有無及び程度によって、予測できる。【０００３】
一方、二酸化炭素を人体に経皮経粘膜吸収によって投与する方法としては、種々の方法が知られている（特許文献２〜１７参照）。
【先行技術文献】
【特許文献】
【０００４】
【特許文献１】特開２０００−３１９１８７号公報
【特許文献２】特許第３１５４６３４号
【特許文献３】特開昭６２−２８６９２２号公報
【特許文献４】特開２００８−２５９８１３号公報
【特許文献５】国際公開２００２／０８０９４１号公報
【特許文献６】国際公開２００４／００２３９３号公報
【特許文献７】特開平７−１７１１８９号公報
【特許文献８】特開２０１０−２９２６５号公報
【特許文献９】特開２０１０−２９２６７号公報
【特許文献１０】特開２００７−２５２８７１号公報
【特許文献１１】特開２００６−３４６１３号公報
【特許文献１２】特開２００６−２６３２５３号公報
【特許文献１３】特開２００６−３４６１４号公報
【特許文献１４】特開２００９−１１６９５号公報
【特許文献１５】特開２００９−１８３６２５号公報
【特許文献１６】特開２００９−１８３６２６号公報
【特許文献１７】特開２００９−２５４７２６号公報
【非特許文献】
【０００５】
【非特許文献１】日吉俊紀、人工炭酸泉浴剤による褥創治療について、総合リハ17(8), 605-9, 1989
【発明の概要】
【発明が解決しようとする課題】
【０００６】
しかしながら、前記の投与方法では、次の不具合がある。
（１）皮膚が露出している必要があり、衣服や包帯等で隠れている皮膚の二酸化炭素の経皮吸収が困難である。
（２）衣服や包帯等をつけたまま二酸化炭素を経皮吸収させると、これらが濡れる。
（３）二酸化炭素を吸収させるときに皮膚が濡れる。
（４）二酸化炭素の吸収効率に限界がある。【０００７】
本発明は、衣服等で隠れている皮膚にも容易に適用でき、しかも、衣服等及び皮膚を濡らすことがなく、更に、二酸化炭素の吸収効率を顕著に向上できる、二酸化炭素投与装置を、提供することを目的としている。
【課題を解決するための手段】
【０００８】
本発明は、二酸化炭素を人体の一部の皮膚に投与するための二酸化炭素投与装置において、人体の一部を配置可能な、且つ、略密閉された、空間と、前記空間において、二酸化炭素を溶解可能な且つ気化性の、溶媒を、貯留する、溶媒槽と、前記溶媒が蒸発するように、前記溶媒槽中の前記溶媒を加熱する、加熱部と、前記空間に二酸化炭素を供給する、二酸化炭素供給部と、前記溶媒槽中の前記溶媒から発生した浮遊液滴が付着するように、前記溶媒槽の上方の前記空間に配置された、被付着部と、を備えており、前記被付着部より上方の前記空間に、人体の一部が配置可能となっている、ことを特徴としている。【０００９】
本発明は、更に、次の構成を採用するのが好ましい。
（ａ）前記被付着部が、前記溶媒槽の開口を平面視で覆うように設けられた平板部材である。
（ｂ）更に、前記被付着部材より上方の前記空間内の温度を上昇させるための空間加温部を、備えている。
（ｃ）更に、前記空間内に配置された人体の一部の皮膚温を上昇させるために人体の一部を直接に加温するための人体加温部を、備えている。
（ｄ）前記溶媒が、水である。
（ｅ）前記溶媒である水に酸性物質が溶解されている。
（ｆ）更に、人の腰掛け部を備えており、前記空間が、腰掛けた人の膝下の脚部を上方から挿入可能なように、設けられている。【００１０】
なお、本発明の二酸化炭素投与装置が適用される人体の一部は、脚や腕に限らず、本発明の装置を人体に危険を及ぼすことなく適用できる、あらゆる部分、を含む概念である。
【発明の効果】
【００１１】
溶媒を加熱して蒸発させると、「溶媒の蒸気」と共に「溶媒の浮遊液滴」も生成する。「溶媒の浮遊液滴」とは、直径が約１００μｍ以下の、空気中に浮遊する、溶媒の微小な液体を、意味する。これには、ミストやスチームも含まれる。すなわち、「浮遊液滴」は、液体であるので、被接触物を濡らす。一方、「溶媒の蒸気」とは、気体状態の溶媒分子を意味する。「気体状態」とは、溶媒分子が一つずつばらばらで浮遊しており、肉眼では確認できない状態である。すなわち、「蒸気」は、気体であるので、被接触物を濡らさない。【００１２】
溶媒が蒸発している状態の空間に二酸化炭素が供給されると、溶媒の蒸気すなわち溶媒分子は、供給された二酸化炭素の分子との可逆的結合によって、「二酸化炭素溶媒複合体」を形成する、と考えられ、また、溶媒の浮遊液滴には二酸化炭素が溶解する。【００１３】
本発明によれば、浮遊液滴に殆ど妨害されることなく、二酸化炭素溶媒複合体が皮膚に接触するので、次のような効果を発揮できる。
（ｉ）二酸化炭素の吸収効率を顕著に向上できる。
（ii）衣服等及び皮膚が濡れるのを防止できる。
（iii）衣服等で隠れている皮膚にも容易に適用できる。
【図面の簡単な説明】
【００１４】
【図１】本発明の二酸化炭素投与装置の使用状態を示す側面略図である。
【図２】図１の装置の縦断面図である。
【図３】図１の装置の装置本体の、筒壁体が開いた状態の、上方斜視図である。
【図４】図１の装置の、溶媒槽、被付着部、仕切板、及び足置き板、を示す斜視図である。
【図５】空間加温部及び人体加温部を備えた二酸化炭素投与装置の装置本体の縦断面図である。
【図６】第４実施例及び第４比較例で使用した、図１の装置の簡易型装置、を示す縦断面図である。
【発明を実施するための形態】
【００１５】
図１は、本発明の二酸化炭素投与装置の使用状態を示す側面略図である。この装置１は、装置本体２と腰掛け部９とを有している。装置１は、使用者１０が、腰掛け部９に腰掛けて、膝下の脚部１１を装置本体２に配置できるようになっている。また、装置１全体は、使用者１０の下半身と共に、シート２９によって覆われるようになっている。
【００１６】
図２は、装置１の縦断面図である。装置本体２は、脚部１１を上方から挿入できる有底の筒壁体２１を、有している。筒壁体２１は、シート２１によって覆われることにより、略密閉された空間２１０を構成するようになっている。筒壁体２１は、前壁部２１１がヒンジ２１１０を支点として前方へ回動して開くようになっている。
【００１７】
筒壁体２１内には、下方から、加熱部２２と、溶媒槽２３と、二酸化炭素供給部２４と、被付着部２５と、仕切板２６と、足置き板２７とが、設けられている。図３は、装置本体２の、筒壁体２１が開いた状態の、上方斜視図である。図４は、溶媒槽２３、被付着部２５、仕切板２６、及び足置き板２７、を示す斜視図である。図３は、図４に示される部材が設置される前の状態を示している。
【００１８】
溶媒槽２３は、溶媒８を貯留している。この溶媒８は、二酸化炭素を溶解可能な且つ気化性の、媒体である。加熱部２２は、溶媒８が蒸発するように、溶媒槽２３中の溶媒８を加熱するようになっている。二酸化炭素供給部２４は、溶媒槽２３の上方の空間２１０に、二酸化炭素を供給するようになっている。被付着部２５は、溶媒槽２３中の溶媒８から発生した浮遊液滴が付着するように、溶媒槽２３の上方の空間２１０に配置されている。仕切板２６は、被付着部２５の上方の空間２１０に配置されており、足置き板２７は、仕切板２６上に載置されており、これにより、装置本体２においては、足置き板２７より上方の空間２１０に、脚部１１が配置可能となっている。
【００１９】
更に、具体的に説明すると、次のとおりである。
【００２０】
筒壁体２１の底部には、平面視矩形の上開きの凹部２１３が形成されている。溶媒槽２３は、平面視矩形の容器であり、凹部２１３内に嵌め込むように収容されている。凹部２１３の底面２１３１には、加熱部２２を構成する平面視矩形の面状ヒーターが設けられている。このヒーターは、外部の電源（図示せず）に接続されており、溶媒槽２３の底面に接触して溶媒槽２３を加熱するようになっている。
【００２１】
筒壁体２１においては、凹部２１３の開口２１３２の周縁に、第１平坦部２１４が形成されている。二酸化炭素供給部２４は、第１平坦部２１４に沿って且つその上方を延びたパイプ２４１を、備えている。パイプ２４１は、二酸化炭素を噴出する孔（図示せず）を適当間隔置きに多数個有している。その孔は、内側に向いて形成されている。パイプ２４１は、外部に配置された二酸化炭素供給源（図示せず）に接続されている。
【００２２】
被付着部２５は、脚２５１を有する平板部材２５２からなっている。被付着部２５は、脚２５１を第１平坦部２１４上に載せて、平板部材２５２が溶媒槽２３中の溶媒８の液面に対して平行となるように、配置されている。平板部材２５２は、溶媒槽２３の開口２３５より少し大きい寸法を有しており、平面視で開口２３５を覆っている。
【００２３】
筒壁体２１においては、第１平坦部２１４に続いて、傾斜部２１５、更には第２平坦部２１６が、形成されている。仕切板２６は、平面視矩形の格子板からなっており、通気可能である。仕切板２６は、４辺部を第２平坦部２１６上に載せることにより、空間２１０内に配置されている。足置き板２７は、平面視矩形の網板からなっており、通気可能である。足置き板２７の上面には、足裏に接触するための緩やかな凸部２７１が２個形成されている。
【００２４】
前記構成の装置１は、次のように使用する。
【００２５】
まず、使用者１０は、図１に示されるように、腰掛け部９に腰掛けて、膝下の脚部１１を装置本体２の筒壁体２１内に入れ、足を足置き板２７上に置く。このとき、足裏は凸部２７１上に載せるのが好ましい。そして、シート２９によって、装置１全体及び使用者１０の下半身を覆う。これにより、筒壁体２１内の空間２１０が、略密閉される。
【００２６】
そして、装置１の作動スイッチ（図示せず）をオンする。これにより、まず、加熱部２２が作動して、溶媒槽２３中の溶媒８が加熱される。溶媒８は、加熱が続けられることにより、次第に蒸発していく。その頃、二酸化炭素供給部２４が作動を開始して、二酸化炭素が溶媒槽２３の上方に供給される。
【００２７】
ところで、溶媒８が蒸発する際には、「溶媒８の蒸気」と共に「溶媒８の浮遊液滴」も発生する。本発明において、「溶媒の浮遊液滴」とは、直径が約１００μｍ以下の、空気中に浮遊する、溶媒の微小な液体を、意味する。一方、本発明において、「溶媒の蒸気」とは、気体状態の溶媒分子を意味する。「気体状態」とは、溶媒分子が一つずつばらばらで浮遊しており、肉眼では確認できない状態である。
【００２８】
すなわち、溶媒８の蒸発によって、蒸気と浮遊液滴とが発生する。そして、蒸気すなわち溶媒分子は、供給された二酸化炭素の分子との可逆的結合によって、「二酸化炭素溶媒複合体」を形成する、と考えられる。なお、この複合体の存在は、スペクトル分析によって証明されている（例えば、二酸化炭素と水との複合体については、「K.I.Peterson, W.Klemperer, J.Chem.Phys. 1984，80，2439」参照）。一方、浮遊液滴は、被付着部２５の平板部材２５２の主として裏面に付着し、大きな液滴になると、溶媒槽２３中に落下する。このとき、平板部材２５２は、溶媒槽２３の開口２３５の全てを平面視で覆っているので、発生した浮遊液滴は、殆ど全てが平板部材２５２に接触して付着する。したがって、被付着部２５より上方の空間２１０へは、二酸化炭素溶媒複合体は上昇して行くが、浮遊液滴の殆どは上昇して行かない。すなわち、二酸化炭素溶媒複合体は、仕切板２６及び足置き板２７を通り抜けて更に上昇して行く。
【００２９】
したがって、脚部１１の皮膚には、二酸化炭素溶媒複合体が接触し、浮遊液滴は殆ど接触しない。
【００３０】
ところで、二酸化炭素溶媒複合体が浮遊液滴と共に皮膚に接触する場合には、浮遊液滴が皮膚を覆うように付着するために、浮遊液滴に溶解している二酸化炭素すなわち「溶存二酸化炭素」は吸収されるが、二酸化炭素溶媒複合体の二酸化炭素の吸収は妨げられる。すなわち、この場合には、吸収される二酸化炭素は、「溶存二酸化炭素」が主体となる。例えば、溶媒が水の場合、溶存二酸化炭素の濃度は大気圧下で０．１質量％にすぎない。これに対して、前記構成の装置１によれば、浮遊液滴は殆ど皮膚に接触しないので、二酸化炭素溶媒複合体の二酸化炭素の吸収は妨げられない。すなわち、吸収される二酸化炭素は、二酸化炭素溶媒複合体の二酸化炭素が主体となる。そして、二酸化炭素溶媒複合体は、溶媒分子と二酸化炭素分子との結合体であるので、二酸化炭素の含有割合は理論上最大である。したがって、前記構成の装置１によれば、二酸化炭素の吸収効率が顕著に向上する。
【００３１】
しかも、二酸化炭素溶媒複合体は、気体であるので、衣服等を通り抜けて皮膚に接触することができ、また、衣服等及び皮膚を濡らさない。したがって、前記構成の装置１は、衣服を身に付けたままで、使用できる。もちろん、前記構成の装置１は、衣服を身に付けないで使用してもよい。
【００３２】
以上のように、前記構成の装置１によれば、衣服等で隠れている皮膚にも容易に適用でき、しかも、衣服等及び皮膚を濡らすことがなく、更に、二酸化炭素の吸収効率を顕著に向上できる。したがって、前記構成の装置１によれば、二酸化炭素の経皮経粘膜吸収による医療及び美容の効果を、顕著に発揮することができる。
【００３３】
なお、溶媒としては、二酸化炭素を溶解可能な且つ気化性の媒体であれば、特に制限されることなく使用できる。もちろん、使用できる溶媒は、常温で液体であり且つ無害のものである。具体的には、水、有機溶媒、又は無機溶媒を、使用できる。水としては、水道水、蒸留水、膜濾過水、イオン交換水、電気分解水等を使用でき、特に限定されない。有機溶媒としては、メタノール、エタノール、ｎ−プロパノール、イソプロパノール、ｎ−ブチルアルコール、イソブチルアルコール、ｓｅｃ-ブチルアルコール、ｔｅｒ−ブチルアルコール等の、１価アルコール；１，３−ブチレングリコール、エチレングリコール、ジエチレングリコール、プロピレングリコール等の、２価アルコール；２−フェノキシエタノール等のグリコールエーテル；を使用できる。なお、溶媒としては、水が最も好ましい。
【００３４】
溶媒として水を使用する場合において、ｐＨは、特に制限されないが、７未満が好ましい。何故なら、水がアルカリ性である場合には、二酸化炭素が、水中で、重炭酸イオンや炭酸イオン等へ変換されることによって消費されるために、二酸化炭素溶媒複合体の生成量が少なくなるからである。水のｐＨを７未満とする方法としては、酸性物質を水に溶解するのが好ましい。酸性物質としては、有機酸又は無機酸を使用できる。或いは、水として、酸性電気分解水を使用してもよい。
【００３５】
二酸化炭素供給部２４から供給される二酸化炭素としては、例えば、（ａ）液化二酸化炭素から生成するもの、（ｂ）ドライアイスから生成するもの、（ｃ）炭酸塩と酸との反応によって生成するものを、使用できるが、特にこれらに限定されない。
【００３６】
筒壁体２１は、耐熱性を有している必要がある。また、筒壁体２１の構成材料は、溶媒の物性に応じて適宜選択するのが好ましい。例えば、溶媒として酸性の水を使用する場合には、例えばポリプロピレン等の耐酸性を有する材料を使用するのが好ましい。
【００３７】
被付着部２５の平板部材２５２としては、例えば、（ａ）板体、（ｂ）目の細かい網目状の布、（ｃ）微細な貫通孔を有する板や布を、使用できる。そして、それらの構成材料としては、（ｉ）鉄、銅、金、銀、ニッケル等の金属やそれらの合金、（ii）ポリエチレン、ポリプロピレン、ポリ酢酸ビニル、ポリスチレン、ポリカーボネート、ポリアセタール、ポリアミド等の合成樹脂を、使用できる。
【００３８】
足置き板２７の上方の空間２１０内における二酸化炭素溶媒複合体の濃度は、高いほど好ましく、例えば、１０体積％以上が好ましく、３０体積％以上がより好ましく、５０体積％以上が最も好ましい。
【００３９】
前記構成の装置１は、足置き板２７の上方の空間２１０内の温度を上昇させるための空間加温部を、更に備えているのが好ましい。空間加温部は、例えば、図５に示されるように、筒壁体２１の内面にヒーター２８１を設けることによって構成できる。溶媒の蒸気量は、その温度における当該溶媒の飽和蒸気量に依存し、飽和蒸気量は、一般に温度が高いほど高い。例えば、水の飽和蒸気量は、気温１０℃で９．４ｇ／ｍ３であるのに対して、気温３０℃では３０．４ｇ／ｍ３であり、３倍以上である。したがって、空間加温部を備えた装置１によれば、足置き板２７の上方の空間２１０内の温度を上昇させることにより、二酸化炭素と結合できる溶媒分子の数を増大でき、それ故、二酸化炭素溶媒複合体の生成量を増大でき、よって、二酸化炭素の経皮経粘膜吸収による医療及び美容の効果を増大できる。なお、足置き板２７の上方の空間２１０内の温度は、２０℃以上が好ましく、３０℃以上がより好ましく、更には皮膚温よりも高温であることが好ましいが、皮膚が火傷を負うような温度より低い必要がある。
【００４０】
前記構成の装置１は、足置き板２７上に載せられた脚部１１の皮膚温（皮膚の表面温度）を上昇させるために脚部１１を直接に加温するための人体加温部を、更に備えているのが好ましい。人体加温部は、例えば、図５に示されるように、足置き板２７の凸部２７１内部にヒーター２８２を設けることによって構成できる。人体加温部を備えた装置１によれば、二酸化炭素溶媒複合体が接触する皮膚温を高くできるので、吸収効率を向上できるだけでなく、二酸化炭素によるボーア効果を増強できる。なお、皮膚温としては、２０℃以上が好ましく、３０℃以上がより好ましいが、組織損傷を起こすような高温、例えば４３℃以上は、避けるのが好ましい。
【実施例】
【００４１】
［第１実施例］
（二酸化炭素投与装置）
図１に示された装置１である。但し、具体的寸法等は、次のとおりである。
・溶媒槽２３…縦２０ｃｍ×横２０ｃｍ×深さ３ｃｍ。
・平板部材２５…縦２０ｃｍ×横２０ｃｍ×厚さ５ｍｍの鉄板。
・溶媒８…水１００ｍｌ。【００４２】
（使用例）
（１）使用条件
この装置１において、加熱部２２によって溶媒８を８０℃に加熱し、二酸化炭素供給部２４によって９９．９％の二酸化炭素を液化炭酸ガスボンベから溶媒槽２３の上方に供給した。この場合、足置き板２７の上方の空間２１０内において、湯気すなわち浮遊液滴は観察されず、湿度は９５％であり、二酸化炭素濃度は５０体積％であった。【００４３】
（２）使用状態
使用者１０は２名の男性である。使用者１０は、右脚については、靴下を脱ぎ、ズボンの裾を膝まであげて脚部１１を露出し、左脚については、靴下もズボンの裾もそのままとした。そして、使用者１０は、両脚の脚部１１を筒壁体２１内に５分間入れた。【００４４】
（３）評価方法
二酸化炭素による効果の評価は、血管拡張によって生じる皮膚の赤さを指標とした。３人の評価者により、肉眼観察で評価した。【００４５】
（４）結果
両使用者１０の右脚の脚部１１の皮膚は、明らかに赤くなっており、３人の評価者は、強い血流増加を認めた。また、右脚の脚部１１は、全く濡れていなかった。両使用者１０の左脚の脚部１１の皮膚は、靴下を脱いでズボンの裾をまくり上げて観察すると、右脚の脚部１１と同様に、明らかに赤くなっており、３人の評価者は、強い血流増加を認めた。また、左脚の靴下もズボンも、全く濡れていなかった。【００４６】
［第１比較例］
第１実施例に対する比較例である。【００４７】
（二酸化炭素投与装置）
平板部材２５を備えていない点のみが第１実施例とは異なっている。【００４８】
（使用例）
（１）使用条件
この装置において、加熱部２２によって溶媒８を８０℃に加熱し、二酸化炭素供給部２４によって９９．９％の二酸化炭素を液化炭酸ガスボンベから溶媒槽２３の上方に供給した。この場合、足置き板２７の上方の空間２１０内において、湯気すなわち浮遊液滴が観察され、湿度は９７％であり、二酸化炭素濃度は４２体積％であった。また、筒壁体２１の内面に多量の結露が生じた。【００４９】
（２）使用状態
第１実施例と同じである。【００５０】
（３）評価方法
第１実施例と同じである。【００５１】
（４）結果
両使用者１０の右脚の脚部１１の皮膚は、赤くなっていたが、３人の評価者は、血流増加の程度を第１実施例より弱いと認めた。また、右脚の脚部１１は、濡れていた。両使用者１０の左脚の脚部１１の皮膚は、靴下を脱いでズボンの裾をまくり上げて観察すると、赤くなっておらず、３人の評価者は、血流増加がないと認めた。また、左脚の靴下もズボンも、濡れていた。【００５２】
［第２実施例］
（二酸化炭素投与装置）
第１実施例と同じである。【００５３】
（使用例）
（１）使用条件
この装置１において、加熱部２２によって溶媒８を５５℃に加熱し、二酸化炭素供給部２４によって９９．９％の二酸化炭素を液化炭酸ガスボンベから溶媒槽２３の上方に供給した。この場合、足置き板２７の上方の空間２１０内において、湯気すなわち浮遊液滴は観察されず、湿度は９１％であり、二酸化炭素濃度は９０体積％、温度３６℃であった。【００５４】
（２）使用状態
使用者１０は１名の男性である。使用者１０は、靴下を脱ぎ、ズボンの裾を膝まであげて脚部１１を露出し、両脚の脚部１１を筒壁体２１内に５分間入れた。【００５５】
（３）評価方法
発汗の程度を肉眼観察で観察した。また、筒壁体２１から両脚の脚部１１を出してタオルで拭いて、１分後に、脚部１１の足の甲における血流量をレーザードップラー血流量計で測定した。【００５６】
（４）結果
使用者１０は、初めは熱さを感じなかったが、数十秒後に発汗し、更に数十秒後には、全身に温感を感じ、掌も発汗した。
１分後の血流量増加率は、３８．０％であった。【００５７】
［第２比較例］
第２実施例に対する比較例である。【００５８】
（二酸化炭素投与装置）
第１比較例と同じである。【００５９】
（使用例）
（１）使用条件
この装置１において、加熱部２２によって溶媒８を５５℃に加熱し、二酸化炭素供給部２４によって９９．９％の二酸化炭素を液化炭酸ガスボンベから溶媒槽２３の上方に供給した。この場合、足置き板２７の上方の空間２１０内において、湯気すなわち浮遊液滴が観察され、湿度は９１％であり、二酸化炭素濃度は９０体積％、温度３６℃であった。【００６０】
（２）使用状態
使用者１０は１名の男性である。使用者１０は、靴下を脱ぎ、ズボンの裾を膝まであげて脚部１１を露出し、両脚の脚部１１を筒壁体２１内に５分間入れた。【００６１】
（３）評価方法
筒壁体２１から両脚の脚部１１を出してタオルで拭いて、１分後に、脚部１１の足の甲における血流量をレーザードップラー血流量計で測定した。【００６２】
（４）結果
使用者１０の脚部１１は、初めからびっしょりと濡れた。
１分後の血流量増加率は、２７．８％であり、第２実施例より低かった。【００６３】
［第３実施例］
（二酸化炭素投与装置）
第１実施例と同じである。【００６４】
（使用例）
（１）使用条件
この装置１において、加熱部２２によって溶媒８を５５℃に加熱し、二酸化炭素供給部２４によって９９．９％の二酸化炭素を液化炭酸ガスボンベから溶媒槽２３の上方に供給した。この場合、足置き板２７の上方の空間２１０内において、湯気すなわち浮遊液滴は観察されず、湿度は９１％であり、二酸化炭素濃度は９０体積％、温度３３℃であった。【００６５】
（２）使用状態
使用者１０は１名の男性である。使用者１０は、右腕を、露出し、筒壁体２１内に５分間入れた。【００６６】
（３）評価方法
発汗の程度を肉眼観察で観察した。また、筒壁体２１から右腕を出してタオルで拭いて、１分後に、右腕の手の甲における血流量をレーザードップラー血流量計で測定した。【００６７】
（４）結果
使用者１０は、初めは熱さを感じなかったが、数十秒後に発汗し、更に数十秒後には、全身に温感を感じ、手や腕が発汗した。
１分後の血流量増加率は、１２．１％であった。【００６８】
［第３比較例］
第３実施例に対する比較例である。【００６９】
（二酸化炭素投与装置）
第１比較例と同じである。【００７０】
（使用例）
（１）使用条件
この装置１において、加熱部２２によって溶媒８を５５℃に加熱し、二酸化炭素供給部２４によって９９．９％の二酸化炭素を液化炭酸ガスボンベから溶媒槽２３の上方に供給した。この場合、足置き板２７の上方の空間２１０内において、湯気すなわち浮遊液滴が観察され、湿度は９０％であり、二酸化炭素濃度は９０体積％、温度４１℃であった。【００７１】
（２）使用状態
使用者１０は１名の男性である。使用者１０は、左腕を、露出し、筒壁体２１内に５分間入れた。【００７２】
（３）評価方法
筒壁体２１から左腕を出してタオルで拭いて、１分後に、左腕の手の甲における血流量をレーザードップラー血流量計で測定した。【００７３】
（４）結果
使用者１０は、初めから非常に熱さを感じた。左腕は、初めからびっしょりと濡れた。
１分後の血流量増加率は、０．４％であり、第３実施例よりかなり低かった。【００７４】
［第４実施例］
（二酸化炭素投与装置）
図６に示された二酸化炭素投与装置１Ａである。この装置１Ａは、図１に示された装置１の簡易型である。装置１Ａでは、容器３１の中にウォーターバス３２が設置され、溶媒である水がバス３２に入れられ、バス３２の上にボウル３３が載置されており、液化炭酸ガスボンベに接続されたチューブ３４が容器３１内に挿入されている。バス３２は、内部にヒーター３２１を有している。容器３１は、装置１の筒壁体２１に相当し、ウォーターバス３２は、装置１の加熱部２２及び溶媒槽２３に相当し、ボウル３３は、装置１の被付着部２５に相当し、チューブ３４は、装置１の二酸化炭素供給部２４に相当する。【００７５】
図６に示された装置１Ａの具体的構成等は、次のとおりである。
・容器３１…直径３５ｃｍ×高さ３５ｃｍのプラスチックバケツ。
・ウォーターバス３２…直径２５ｃｍ×高さ１５ｃｍ、最大出力７００Ｗ。
・溶媒８…水４００ｍｌ。
・ボウル３３…直径２４ｃｍ×深さ１５ｃｍ【００７６】
（使用例）
（１）使用条件
この装置１において、容器３１をビニールシート３５で覆い、バス３２の水温を５０℃に設定した。チューブ３４から９９．９％の二酸化炭素を容器３１内に供給した。容器３１内の湿度は９０％であった。容器３１の上部空間の二酸化炭素濃度は８０体積％であった。【００７７】
（２）使用状態
使用者１０は１名の男性である。使用者１０は、右腕を、露出し、容器３１内に３分間入れた。【００７８】
（３）評価方法
発汗の程度を肉眼観察で観察した。また、容器３１から右腕を出してタオルで拭いて、１分後及び５分後に、右腕の手の甲における血流量をレーザードップラー血流量計で測定した。【００７９】
（４）結果
使用者は、初めは熱さを感じなかったが、直ぐに、腕だけではなく、肩、背中、その他の体の部位に、熱さを感じた。その熱さを感じた後、使用者は、右腕が濡れるほどの汗をかき、背中や腋等も汗で少し濡れた。
１分後の血流量増加率は、１７．８％であった。
５分後の血流量増加率は、６．７％であった。【００８０】
［第４比較例］
第４実施例に対する比較例である。【００８１】
（二酸化炭素投与装置）
ボウル３３を備えていない点のみが第４実施例の装置１Ａとは異なっている。【００８２】
（使用例）
（１）使用条件
第４実施例と同じである。【００８３】
（２）使用状態
第４実施例と同じである。【００８４】
（３）評価方法
第４実施例と同じである。【００８５】
（４）結果
使用者は、初めから耐え難い熱さを感じ、右腕は、直ぐに濡れた。
１分後の血流量増加率は、３．１％であった。
５分後の血流量増加率は、３．３％であった。
【産業上の利用可能性】
【００８６】
本発明の二酸化炭素投与装置は、二酸化炭素の吸収効率を顕著に向上できるので、産業上の利用価値が大である。
【符号の説明】
【００８７】
１、１Ａ  二酸化炭素投与装置
２１０  空間
２２  加熱部
２３  溶媒槽
２４  二酸化炭素供給部
２５  被付着部
２５２  平板部材
２８１  ヒーター（空間加温部）
２８２  ヒーター（人体加温部）
８  溶媒
９  腰掛け部
【図１】
2015001965.tif 000003
【図２】
2015001965.tif 000004
【図３】
2015001965.tif 000005
【図４】
2015001965.tif 000006
【図５】
2015001965.tif 000007
【図６】
2015001965.tif 000008
【国際調査報告】
2015001965.tif 000009
2015001965.tif 000010
2015001965.tif 000011
2015001965.tif 000012